(57)【要約】【課題】    本発明は、時針が傾き偏向することなくして文字盤の正面側と背面側の変動を防止して正確な時刻を示すことができる世界時計を新規に提供しようとするものである。【解決手段】  本発明は、時針が回転するときに傾き偏向することなく作動して、ユーザーが離れて見ても地域とその時刻を容易に認識することができる世界時計にある。  詳しくは、文字盤上に位置する１時から１２時の表示プレートを有す１２本の時針と、分針および秒針の組み合わせにて多くの異なる地域（国）の時刻を表示することができるものとなっている。  文字盤上に位置し、ムーブメントに接続して回転する支持軸に挿着する１２本の時針に特徴を有すものである。  時針は組立てと分離が容易であり、且つ安価に製造することができて、正面側と背面側に傾き偏向することなくして変動を防止して正確な時を刻むことができるものとなっている。【選択図】図１
2012523005.tif 000002
【特許請求の範囲】
【請求項１】
ムーブメント(30)に接続して回転する文字盤(10)と１２本の時針(20)と分針および秒針とによって様々な地域（国）の時刻を示す世界時計であって、該文字盤(10)の外周方向に延設した表示部(11)の１２分割した各部分に標準時刻と１時間づつの時差がある多くの異なる地域（国）の旗を記し、該文字盤(10)と連設したムーブメント(30)の回転軸(31)に挿着する挿着孔(41)を中央に有す支持軸(40)の周囲に挿込溝(42)を設け、該挿込溝(42)に１〜１２の数字を付した各別の時針(20)を挿立て取付けすることにより該支持軸(40)が回転するときに時針(20)の水平姿勢を保持するようにしたことを特徴とする世界時計。
【請求項２】
ムーブメント(30)に接続して回転する文字盤(10)と１２本の時針(20)と、分針および秒針とによって様々な地域（国）の時刻を示す世界時計であって、該文字盤(10)の外周方向に延設した表示部(11)に時刻を表す１〜１２の数字を等間隔を置いて記し、該文字盤(10)と連設したムーブメント(30)の回転軸(31)に挿着する挿着孔(41)を中央に有す支持軸(40)の周囲に挿込溝(42)を設け、該挿込溝(42)に標準時刻と１時間づつの時差がある多くの異なる地域（国）の旗を表示した１２本の時針(20)を挿立て取付けすることにより該支持軸(40)が回転するときに時針(20)の水平姿勢が保たれるようにしたことを特徴とする世界時計。
【請求項３】
時針(20)は旗または数字を記した表示プレート(21)と時針バー(22)および挿着バー(23)とに連なっており、金属またはプラスチックのいずれかにて形成する請求項１または２に記載の世界時計。
【請求項４】
時針(20)と時針の支持軸(40)は各別に製造し、該時針(20)の挿着バー(23)を支持軸(40)に設ける挿込溝(42)に着脱自在とする請求項３に記載の世界時計。
【請求項５】
時針(20)の表示プレート(21)上に時刻の数字または国旗が記されている請求項４に記載の世界時計。
【発明の詳細な説明】
【技術分野】
【０００１】
本発明は、時針が回転するときに傾き偏向することなく作動し、文字盤上に幾何学的に記された各国の国旗によって、距離を置いて見てもユーザーにその地域と時刻とが容易に読みとることができるようにした世界時計に関するものである。
【背景技術】
【０００２】
一般に、ユーザーに時を知らせる時計としては、機械式時計，電気式時計，水時計および砂時計など恒常的に作動する色々なタイプの時計がある。
【０００３】
しかしながら、これらの時計は、1つの国または地域の時刻のみを示すにとどまっていて、標準時刻に対して異なる時差のある複数の地域（国）の時刻を同時に表示することはできない。
【０００４】
これらの問題を解決するものとして、世界時計の技術分野において本願出願人が申請した韓国特許ＫＲ２０−０３３８２７０、他の韓国特許ＫＲ２０−０１４３３００、同、ＫＲ２０−０００８６７２の提案がある。
【０００５】
上記の世界時計は文字盤と、時刻を示す時針、分針、秒針が中央に構成されており、文字盤には標準時刻との１時間の時差ごとにそれぞれの地域（国）名が示されている。さらに、外周面には各地域（国）名と１時から１２時までの時刻を示す１２個の数字を記したプレートが時針と同じ方向に回転するように取り付けられている。
【０００６】
この世界時計は次のように構成されている。すなわち時間の経過とともに、国を指し示す地域名を記したプレートが回転し、分針および秒針も共通の時計として作動する。これによって、ユーザーは地域名とそこを指している時刻の数字を見て、併せて分針と秒針とを見ることでその地域の現在時刻を知ることができるのである。
【先行技術文献】
【特許文献】
【０００７】
【特許文献１】韓国特許  ＫＲ２０−０３３８２７０
【特許文献２】韓国特許  ＫＲ２０−０１４３３００
【特許文献３】韓国特許  ＫＲ２０−０００８６７２
【発明の概要】
【発明が解決しようとする課題】
【０００８】
この韓国特許ＫＲ２０−０３３８２７０また同、ＫＲ２０−０１４３３００のように、分針と秒針は通常の時計と同じであるが、時針が１つに結合された形状となっている世界時計の円板状のプレートは重いものとなっており、その一体化した形状のために製造が難しいものとなっている。
このように、時針のプレートが回転している時針の回転軸に挿着された時計を壁にかけると、時計が水平性を失うとともに、偏向のない重量バランスによってもたらされていた実用性が損なわれて、時計の生命ともいえる時刻の正確性が失われるというおそれがある。
また、韓国特許ＫＲ２０−０００８６７２は、文字盤上に絶えず時刻を表示し続けている時計であって、文字盤中央には世界地図があり、時針，分針および秒針は現在時刻を示している。特に、地上の昼夜と月の満ち欠けを示すものであるが、距離が離れると多くの地域の時刻は一目で明確に認識することができないという課題がある。
【課題を解決するための手段】
【０００９】
本発明の世界時計の目的は、既存の技術を用いて作られた従来の発明品に見られる問題点である、時針のプレートの傾き偏向と、回転するときに生ずる正面及び背面側の変動を生じないようにすることにある。
さらに、本発明の別の目的は、同じ標準時刻における各地域の時刻を容易に認識できるようにすることにある。
この発明における時針および国旗を記した時針は時計への着脱が容易であり、該時針の文字盤に対する水平状態を維持するために支持軸に等間隔にて挿立て取付けすることで時計に傾き，偏向を来たすことなくして回転することができるという特徴を備えている。
【発明の効果】
【００１０】
本発明は、時針が傾き偏向することなしに文字盤の正面側と背面側の変動を防止して正確な時刻を示すことができるという効果を生ずる。
さらに、標準時刻を示す同一の文字盤と時針とにより多くの異なる地域（国）の時刻を示すことができ、さらに、ユーザーは離れたところからでも地域とその時刻を容易に認識することができるものである。
【００１１】
本発明は、時針(20)を各別に製造することと、時針(20)を支持軸(40)の挿込溝(42)に着脱自在とすることによって製造コストを低廉にすることができるという効果を生ずる。
【００１２】
また、ユーザーが取付けしたい旗を付した時針(20)を作り、その時針(20)を支持軸(40)へ挿着することでユーザーが望む旗を簡単に交換取付けすることができることとなる。
【００１３】
さらに、本発明の時計は、文字盤(10)の表示部(11)に標準時刻と１時間の時差がある多くの異なる地域（国）の旗が記され、時針(20)のそれぞれに１時から１２時を表す数字を記すことによって、文字盤(10)上で取り替えた旗が示すあらゆる国のユーザーが使用することができるという効果を生ずる。
【図面の簡単な説明】
【００１４】
【図１】本発明の世界時計の部材別の斜視図
【図２】図１に示した各部材を組立てた状態の斜視図
【図３】時針の拡大斜視図
【図４】時針の支持軸の斜視図とその横断平面図
【図５】本発明の他の実施例の世界時計を示す部材別の斜視図
【図６】同、図５に示した各部材を組立てた状態の斜視図
【図７】本発明の他の実施例の時針を示す斜視図
【発明を実施するための形態】
【００１５】
本発明は、ムーブメント(30)に接続して回転する文字盤(10)と１２本の時針(20)と分針および秒針とによって様々な地域（国）の時刻を示す世界時計であって、該文字盤(10)の外周方向に延設した表示部(11)の１２分割した各部分に標準時刻と１時間づつの時差がある多くの異なる地域（国）の国旗を記し、該文字盤(10)と結合したムーブメント(30)の回転軸(31)に挿着する挿着孔(41)を中央に有す支持軸(40)の周囲に挿込溝(42)を設け、該挿込溝(42)に１〜１２の数字を付した各別の時針(20)を挿立て取付けすることにより該支持軸(40)が回転するときに時針(20)の水平姿勢を保持するようにしたことに特徴を有すものである。
【実施例１】
【００１６】
本発明は、添付図面に沿った以下に述べる詳しい説明の通りにて好ましく作動するものである。
図１，２に示すように本発明の世界時計(100)は、様々な地域(国)の時刻を示すための文字盤(10)と、１〜１２までの数字を表示した１２本の時針(20)と、ムーブメント(30)に回転自在に接続する分針(20a)と秒針(20b)とから成っている。そして文字盤(10)の正面側にて各時針(20)をムーブメント(30)に接続するための回転する支持軸(40)を設け、該回転する支持軸(40)に１２個の時針(20)を挿込み取付けするのである。
【００１７】
薄い金属プレートあるいは合成樹脂プレートにて形成することができる文字盤(10)には標準時刻との間に１時間以上の時差を有す１ヶ国以上の旗を記した表示部(11)を設け、その中心には背面側のムーブメント(30)と連結するための貫通孔(10a)を設けている。
【００１８】
図１と図３に示すように、金属または合成樹脂にて形成する１２本の時針(20)は、１時から１２時までの現在時刻を示す数字を付した表示プレート(21)を以って周囲の旗を指し示すようにした時針バー(22)と、これより延長された挿着バー(23)の部分とを有し、これら１２本の時針(20)は回転する支持軸(40)の周面に設けられた挿込溝(42)に挿込み取付けする。
【００１９】
図１および図４に示すように、ムーブメント(30)から文字盤(10)側に突出する回転軸(31)に時針(20)を取付けるための支持軸(40)は、中心に回転軸(31)への挿着孔(41)を有し、厚みをもった外向き周面に時針(20)の挿込溝(42)を設けている。
【００２０】
時計側（図示してない）内のムーブメント(30)は、回転軸(31)を文字盤(10)側に突出するように取付けられていて、各時針(20)はムーブメント(30)からの動力を受けた回転時に水平姿勢を保持するようにして支持軸(40)に挿立て取付けされている。
【００２１】
本発明の動作と作用は以下の通りである。
図１、図２に示すように、世界時計(100)のムーブメント(30)は回転軸(31)を時計側（図示してない）内より正面側に突出するようにして取付けられている。
このムーブメント(30)の回転軸(31)は、文字盤(10)を貫通する貫通孔(10a)を通って文字盤(10)側に突出し、時針用の支持軸(40)の挿着孔(41)に挿着したその先を順に分針(20a)と秒針(20b)に連結している。
【００２２】
すなわち、世界時計(100)の秒針(20b)と分針(20a)および時針(20)は、時間とともにこの順序にて回転し、分針(20a)および時針(20)は普通の時計と全く同じように回転するので、ユーザーは知りたいときに今居る場所の時刻を知ることができることとなる。
【００２３】
以上のように、時針(20)をその水平姿勢を保持するようにした支持軸(40)に挿着したことにより、多数の時針(20)は精度よろしく正しい時刻を示すことができるという利点を有している。
【００２４】
加えて、文字盤(10)または時針(20)に様々な国の旗を記した時計は、同時刻における時差のある別の地域の時刻を示すことができるという利点がある。
【００２５】
さらに、この時計の時針(20)は各別に製造し得ることによって購買者に低価格にて提供することができるという別の利点も有している。
【実施例２】
【００２６】
図５乃至図７は第２実施例であって、時刻の数字を文字盤(10)の表示部(11)に付したものであり、この文字盤(10)と、様々な国の旗を記した時針(20)とによって、異なる地域の時刻を同時に示すことができる世界時計となっている。図７に示すように表示プレート(21)を２個設けることもある。
【００２７】
本発明は、発明の最良の形態および実施例に記載された範囲に限定されるものではなく、発明の範囲において当業者が様々な設計変更および修正改良を施すことが可能である。
【産業上の利用可能性】
【００２８】
本発明の世界時計は正確な時を刻む実用性を備えて且つ安価に提供されることで広く利用されるものである。
【符号の説明】
【００２９】
１０は文字盤
１０ａは貫通孔
１１は表示部
２０は時針
２０ａは分針
２０ｂは秒針
２１は表示プレート
２２は時針バー
２３は挿着バー
３０はムーブメント
３１は回転軸
４０は時針の支持軸
４１は挿着孔
４２は挿込溝
１００は世界時計
【図１】
2012523005.tif 000003
【図２】
2012523005.tif 000004
【図３】
2012523005.tif 000005
【図４】
2012523005.tif 000006
【図５】
2012523005.tif 000007
【図６】
2012523005.tif 000008
【図７】
2012523005.tif 000009
【国際調査報告】
2012523005.tif 000010
2012523005.tif 000011
2012523005.tif 000012
2012523005.tif 000013